(57)【要約】  【課題】  画像監視装置が起動している間に画像記録装置の状態情報を効率的に取得することのできる画像監視装置を提供する。  【解決手段】  画像監視装置４は、複数の画像記録装置３と通信可能な通信部１７と、画像記録装置３から画像データを受信するときに、その画像記録装置３の状態を示す状態情報をあわせて受信する制御を行う通信制御部２３を備える。また、この画像監視装置４は、複数の画像記録装置３から、画像データを受信中でない画像記録装置３の抽出を行う問合せ対象抽出部２６と、抽出された画像記録装置３に対して、状態情報の送信を要求する状態要求信号を送信する問合せ制御を行う問合せ制御部２７を備える。これにより、画像データを受信中の画像記録装置３からだけでなく、画像データを受信中でない画像記録装置３からも状態情報を効率よく取得することができる。【選択図】  図１
2010056814.tif 000002
【特許請求の範囲】
【請求項１】
複数の画像出力装置と通信可能な通信部と、
前記画像出力装置から画像データを受信するときに、その画像出力装置の状態を示す状態情報をあわせて受信する制御を行う通信制御部と、
前記複数の画像出力装置から、前記画像データを受信中でない画像出力装置の抽出を行う問合せ対象抽出部と、
抽出された画像出力装置に対して、前記状態情報の送信を要求する状態要求信号を送信する問合せ制御を行う問合せ制御部と、
を備えることを特徴とする画像監視装置。
【請求項２】
前記通信制御部は、前記画像監視装置が起動したときに、以前の終了時に前記画像データを受信中であった画像出力装置から画像データを受信する制御を行い、
前記問合せ対象抽出部は、前記画像監視装置が起動したときに、前記画像出力装置の抽出を行う請求項１に記載の画像監視装置。
【請求項３】
前記問合せ対象抽出部は、前記画像データを受信中でない画像出力装置を複数抽出可能であり、
前記問合せ制御部は、画像出力装置が複数抽出される毎に、抽出された複数の画像出力装置に対して前記状態要求信号を送信する順序を変更する請求項１または請求項２に記載の画像監視装置。
【請求項４】
前記問合せ制御部は、前記状態要求信号を送信する順序をランダムに決定する請求項３に記載の画像監視装置。
【請求項５】
画像データを出力する複数の画像出力装置と通信可能な画像監視装置において実行されるプログラムであって、
前記画像出力装置から画像データを受信するときに、その画像出力装置の状態を示す状態情報をあわせて受信する処理と、
前記複数の画像出力装置から、前記画像データを受信中でない画像出力装置を抽出する処理と、
抽出された画像出力装置に対して、前記状態情報の送信を要求する状態要求信号を送信する処理と、
をコンピュータに実行させることを特徴とするプログラム。
【発明の詳細な説明】
【技術分野】
【０００１】
本発明は、画像データを出力する画像出力装置と通信して、その画像出力装置の状態情報を取得する画像監視装置に関し、特に、画像出力装置から状態情報を効率的に取得する機能を備えた画像監視装置に関する。
【背景技術】
【０００２】
従来、商店街や金融機関などの監視区域に監視カメラを設置し、監視カメラで撮影した画像を画像記録装置に記録するとともに、画像記録装置から出力される画像データを監視センタの画像監視装置で受信して、監視区域の画像を遠隔の監視センタで確認する画像監視システムが知られている。監視センタの画像監視装置では、監視カメラで撮影される現在の画像データ（すなわち、画像記録装置に入力される画像データ）と、画像記録装置に記録された過去の画像データの両方を、画像記録装置から取得して参照することができる。
【０００３】
ところで、このような画像監視システムでは、画像記録装置や監視カメラに異常（例えば、冷却ファンの動作の異常、画像データの記録領域の残り容量の低下など）が発生すると、希望する画像データを適切に取得できなくなるおそれがある。そこで、従来、画像記録装置や監視カメラが正常に稼動しているか否か（異常が発生していないか否か）を確認することができるシステムが提案されている（例えば特許文献１参照）。
【０００４】
例えば、特許文献１には、監視区域に画像記録装置（画像蓄積装置）を設けて監視カメラで撮影した画像を記録するとともに、遠隔の画像監視装置（画像管理装置）が必要に応じて画像記録装置と通信し、画像記録装置に記録された画像データを取得して遠隔での表示や記録を可能とする画像管理システムが開示されている。そして、この画像管理システムでは、画像記録装置が機器の異常を検知すると、画像監視装置に異常信号を送信して、遠隔から機器の状態を管理することができる。
【特許文献１】特開２００７−１０４５１８号公報（第５−６頁、第１図）
【発明の開示】
【発明が解決しようとする課題】
【０００５】
しかしながら、上記従来のシステムでは、画像記録装置が異常を検知して異常信号を送信したときに、その異常信号を監視センタで確実に受信するためには、画像監視装置が起動している状態である必要がある。すなわち、従来のシステムでは、画像記録装置の状態を管理するためには、画像監視装置を常時起動させておく必要がある。
【０００６】
ところで、このような画像監視システムには、画像監視装置を常時起動させる方式のほかに、監視区域の画像を遠隔から確認するときだけ画像監視装置を起動させる方式がある。しかし、上記従来のシステムでは、画像監視装置の起動停止中に画像記録装置に異常が生じた場合にはその画像記録装置から異常信号を受信することができず、したがって、画像監視装置の起動停止中に生じた画像記録装置の状態変化を適切に管理することができない。また、その後に画像監視装置を起動させたとしても、画像記録装置から異常信号が送信されてくるまでは、その画像記録装置に異常が生じていたことを検知することができない。
【０００７】
また、画像記録装置側から異常信号を一方的に送信する従来のシステムでは、監視センタの画像監視装置が起動しているときであっても、地震などにより多数の画像記録装置がほぼ同時に異常信号を送信する場合には、通信網の伝達や画像監視装置の処理能力を超えてトラフィックが発生し、画像監視装置で異常信号を受信できないおそれがある。
【０００８】
そこで、上記従来のシステムにおいて、単に画像監視装置から画像記録装置に異常の有無を問い合わせることも考えられるが、近年では、多くの監視区域に多数の画像記録装置や監視カメラが設置されており、そのすべての画像記録装置に異常の有無の問い合わせを行うのは効率的ではない。そのため、画像監視装置を常時起動させない方式にも適用することが可能であり、画像監視装置が起動している間に画像記録装置や監視カメラなどの状態情報を効率よく取得することができる新しいシステムの開発が望まれていた。
【０００９】
本発明は、上記の課題に鑑みてなされたものであり、画像監視装置が起動している間に画像記録装置の状態情報を効率的に取得することのできる画像監視装置を提供することを目的とする。
【課題を解決するための手段】
【００１０】
本発明の画像監視装置は、複数の前記画像出力装置と通信可能な通信部と、前記画像出力装置から画像データを受信するときに、その画像出力装置の状態を示す状態情報をあわせて受信する制御を行う通信制御部と、前記複数の画像出力装置から、前記画像データを受信中でない画像出力装置の抽出を行う問合せ対象抽出部と、抽出された画像出力装置に対して、前記状態情報の送信を要求する状態要求信号を送信する問合せ制御を行う問合せ制御部と、を備えている。
【００１１】
この装置によれば、複数の画像出力装置（例えば画像記録装置や監視カメラなど）のうち、画像データを受信中である画像出力装置からは、画像データを受信するときにその画像出力装置の状態情報をあわせて受信することができる。一方、それ以外の画像出力装置については、画像データを受信中でない画像出力装置の抽出を行って、抽出された画像出力装置に対して状態要求信号が送信される。したがって、画像データを受信中の画像出力装置からだけでなく、画像データを受信中でない画像出力装置からも状態情報を効率よく取得することができる。このようにして、画像監視装置が起動している間に画像記録装置の状態情報を効率的に取得することができるので、画像監視装置を常時起動させないシステムにも適用することが可能となる。
【００１２】
また、本発明の画像監視装置では、前記通信制御部は、前記画像監視装置が起動したときに、以前の終了時に前記画像データを受信中であった画像出力装置から画像データを受信する制御を行い、前記問合せ対象抽出部は、前記画像監視装置が起動したときに、前記画像出力装置の抽出を行ってもよい。
【００１３】
これにより、画像監視装置が起動したときに、以前の終了時（例えば前回終了時）に画像データを受信中であった画像出力装置から画像データを受信して、以前と同様の画像監視を行うとともに、その画像出力装置の状態情報をあわせて受信することができる。そして、画像監視装置が起動したときに画像データを受信しない画像出力装置については、画像出力装置の抽出が行われて状態要求信号が送信され、その状態情報を取得することができる。このようにして、画像監視装置の起動時に、画像記録装置の状態情報を効率的に取得することができる。したがって、画像監視装置を常時起動させないシステムへの適用に適している。
【００１４】
また、本発明の画像監視装置では、前記問合せ対象抽出部は、前記画像データを受信中でない画像出力装置を複数抽出可能であり、前記問合せ制御部は、画像出力装置が複数抽出される毎に、抽出された複数の画像出力装置に対して前記状態要求信号を送信する順序を変更してもよい。
【００１５】
これにより、複数の画像出力装置が抽出される毎に、状態要求信号を送信する順序が変更されるので、多数の画像出力装置から均等に状態情報を取得することができる。
【００１６】
また、本発明の画像監視装置では、前記問合せ制御部は、前記状態要求信号を送信する順序をランダムに決定してもよい。
【００１７】
これにより、状態要求信号を送信する順序がランダムに決定されるので、多数の画像出力装置から均等に状態情報を取得することができる。
【００１８】
本発明のプログラムは、画像データを出力する複数の画像出力装置と通信可能な画像監視装置において実行されるプログラムであって、前記画像出力装置から画像データを受信するときに、その画像出力装置の状態を示す状態情報をあわせて受信する処理と、前記複数の画像出力装置から、前記画像データを受信中でない画像出力装置を抽出する処理と、抽出された画像出力装置に対して、前記状態情報の送信を要求する状態要求信号を送信する処理と、をコンピュータに実行させる。
【００１９】
このプログラムによっても、上記の画像監視装置と同様にして、画像監視装置が起動している間に画像記録装置の状態情報を効率的に取得することができるので、画像監視装置を常時起動させない方式のシステムにも適用することが可能となる。
【発明の効果】
【００２０】
本発明によれば、画像データを受信中の画像出力装置からだけでなく、画像データを受信中でない画像出力装置からも状態情報を効率よく取得することができ、したがって、画像監視装置が起動している間に画像記録装置の状態情報を効率的に取得することができる。
【発明を実施するための最良の形態】
【００２１】
以下、本発明の実施の形態の画像監視装置について、図面を用いて説明する。本実施の形態では、監視カメラで撮影した画像を画像記録装置に記録するともに、画像記録装置から送信される画像データと状態情報を画像監視装置で受信する画像監視システム等に用いられる画像監視装置の場合を例示する。この画像監視装置は、画像記録装置から状態情報を効率的に取得する機能を有しており、この機能は、画像監視装置のＨＤＤなどに格納されるプログラムによって実現される。
【００２２】
（画像監視システム）
まず、本発明の実施の形態の画像監視システムの全体の構成について、図面を参照して説明する。図１は、画像監視システムの構成を示す図である。図１に示すように、画像監視システム１は、商店街の店舗（例えばコンビニエンスストア）や金融機関（例えば銀行）などの監視区域に設置される監視カメラ２および画像記録装置３と、監視区域から離れた場所の監視センタに設置される画像監視装置４とを備えている。
【００２３】
監視カメラ２は、監視区域の画像を撮影して、その画像（監視画像ともいう）を画像記録装置３に入力する。この監視カメラ２は、一つの監視区域に複数台設置されてもよく（図１の例では３台設置されている）、一つの監視区域に一台だけ設置されてもよい。画像記録装置３は、例えば各監視区域に一台ずつ設定されており、画像監視装置４と通信網５（例えばインターネット網など）を介して接続されている。監視センタは、複数の監視区域を統括的に監視する管理本部などである。この監視センタからは、画像監視装置４を用いることにより、複数の監視区域を遠隔から監視することができる。
【００２４】
なお、本実施の形態では、画像記録装置３が画像監視装置４との通信機能を備えており、画像記録装置３が本発明の画像出力装置として機能する。しかし、本発明の範囲はこれに限定されるものではなく、監視カメラ２が画像監視装置４との通信機能を備えている場合には、監視カメラ２が本発明の画像出力装置として機能してもよい。
【００２５】
また、本実施の形態では、通信網５がインターネット網で構成される例について説明するが、本発明の範囲はこれに限定されるものではなく、公衆電話網、携帯電話網など適宜利用可能なものを選択してよい。また、本実施形態では、通信プロトコル、交換設備、インターネットサービスプロバイダの設備などは、一般的な技術を使用するので詳細に説明するのを省略する。
【００２６】
監視カメラ２は、監視区域内の任意の設置場所に設置されており、監視区域内の画像を撮影する機能を備えている。この監視カメラ２には、予め、各監視カメラ２を識別するためのカメラ番号が設定されており、カメラ番号は、監視カメラ２に内蔵されたメモリ（図示せず）に記憶されている。このカメラ番号は、監視カメラ２で撮影した画像データと監視カメラ２の設置場所との関連付けに用いられる。そして、監視カメラ２は、各設置場所にて撮影した画像データをデジタル符号化し、ＬＡＮ６を介して画像記録装置３にその画像データとカメラ番号とを送信する機能を備えている。
【００２７】
画像記録装置３は、監視区域ごとに設置されており、その監視区域内に設置された監視カメラ２から入力される画像データを受け付けて、その画像データの画像監視装置４への出力や自己の装置（画像記録装置３）への記録などの処理を行う機能を備えている。また、画像記録装置３は、監視カメラ２や自己の装置に異常が発生しているか否か（監視カメラ２又は自己の設定や制御処理に異常が生じているか否か、監視カメラ２の撮影が妨害されているか否かなど）を検知する機能を備えている。そして、この画像記録装置３は、監視カメラ２や自己の装置の異常（例えば、画像の撮影や記録にかかる異常）の発生を検知すると、その検知した異常状態を状態情報として記録する機能を備えている。
【００２８】
画像監視装置４は、監視センタに設置されており、各監視区域の監視カメラ２や画像記録装置３の状態を集中管理する機能を備えている。この画像監視装置４は、例えば、専用の端末装置や、汎用のパソコン（専用のプログラムがインストールされる）などで構成される。また、画像監視装置４は、例えば、監視センタの監視員が監視区域のモニタリングを行うときに起動され、モニタリングが終わると終了される。つまり、この例では、画像監視装置４が、画像監視装置４を常時起動させないシステムに適用される。しかし、本発明の範囲はこれに限定されるものではなく、この画像監視装置４は、画像監視装置４を常時起動させるシステムにも適用することができる。
【００２９】
後述するように、この画像監視装置４は、監視員の操作により、画像記録装置３に画像データの要求信号（画像要求信号）を送信し、これに対する応答として画像記録装置３から画像データを受信し、受信した画像データを表示出力する機能を備えている。また、画像監視装置４は、画像記録装置３から状態情報を受信して、受信した状態情報を記録するとともに表示出力する機能を備えている。
【００３０】
監視員は、表示出力される画像データを参照することにより監視区域を監視するとともに、表示出力される状態情報を参照して各画像記録装置３や各監視カメラ２が正常に動作しているか否かを確認する。そして、監視員は、表示出力された画像データからある監視区域に異常事態が発生したと判断すると、あるいは、表示出力された状態情報からある監視区域の画像記録装置３や監視カメラ２に異常が発生したと判断すると、例えば、その監視区域の画像データの記録や、その監視区域の管理者に対する確認処理、その監視区域の警備員への対処指示などの必要な措置をとる。
【００３１】
（画像記録装置）
つぎに、画像記録装置３の構成について、図面を参照して説明する。図２は、画像記録装置３の構成を示すブロック図である。図２に示すように、画像記録装置３は、画像監視装置４と通信するための通信部７と、監視カメラ２と通信するためのカメラインターフェース８（カメラＩ／Ｆ）と、画像データを記録するための画像記録部９と、画像記録装置３の状態を管理する状態管理部１０と、画像記録装置３の状態情報などを記憶する記憶部１１と、画像記録装置３の種々の制御を行う制御部１２とを備えている。制御部１２は、記録処理部１３と、画像配信制御部１４と、通信制御部１５と、時計部１６とを含んでいる。なお、この画像記録装置３は、これらの構成の他に、外部のモニタリング機器との接続部（図示せず）を備えてもよく、ディスプレイ（ＬＣＤ等）やスピーカなどのモニタリング機器が接続されてよい。
【００３２】
通信部７は、インターネット網に接続するためのインターフェース（通信Ｉ／Ｆ）である。画像記録装置３は、この通信部７を介して監視センタの画像監視装置４と通信可能に接続される。
【００３３】
カメラＩ／Ｆ８は、ＬＡＮ６に接続するためのインターフェースである。画像記録装置３は、このカメラＩ／Ｆ８を介して、監視カメラ２と通信可能に接続される。
【００３４】
画像記録部９は、画像記録装置３に着脱自在な記憶媒体（例えばＤＶＤ−ＲやＨＤＤなど）である。この画像記録部９には、記録処理部１３が書込み制御を行うことにより、監視カメラ２から入力される画像データが時刻情報（画像が撮影された時刻の情報）とともに記録される。
【００３５】
状態管理部１０は、画像記録装置３や監視カメラ２に異常がないかを監視する機能を備えている。この状態管理部１０が検出する異常としては、例えば、画像記録装置３内の冷却ファン（図示せず）が動作しないこと（ファン異常ともいう）、画像記録部９における書込み可能領域の容量が所定期間に渡って変動しないこと（記録異常ともいう）、画像記録部９の書込み可能領域の容量が所定以下となったこと（容量低下ともいう）、監視カメラ２から画像の入力がないこと（ビデオ入力なしともいう）、監視カメラ２との通信が異常であること（通信異常ともいう）、監視カメラ２の撮像妨害が検出されたこと（撮影妨害ともいう）などがある。これらの異常の検出方法としては、既知の様々な方法（ここでは特に説明しない）を用いることができる。状態管理部１０がこれら各種の異常を検出すると、記録処理部１３により書込み制御が行われて、その検出した異常の状態が記憶部１１に状態情報として記録される。また、状態管理部１０がこれらの異常からの復旧を検出すると、記録処理部１３による書込み制御によって、状態情報として記録していた該当する異常の状態が消去される。
【００３６】
記憶部１１は、ＲＯＭ／ＲＡＭや、ＨＤＤなどで構成される。この記憶部１１には、画像記録装置３の識別情報、予め設定される設定情報、画像記録装置３の状態を示す状態情報、その他に各種のプログラムなどが記憶される。なお、この記憶部１１は、画像記録部９と同じ記憶媒体であってもよい。
【００３７】
識別情報は、各画像記録装置３毎に固有の情報（例えば、画像記録装置３のＩＤなど）である。設定情報は、予め設定された監視カメラ２のＩＰアドレスとカメラ番号、自己の装置（画像記録装置３）のＩＰアドレス、及び、画像監視装置４のＩＰアドレスなどの情報である。状態情報は、画像記録装置３や監視カメラ２が正常に稼働しているか否かの情報である。上述のように、状態管理部１０で画像の撮影又は記録に係る異常が検知されると、その異常の状態が状態情報として記憶部１１に記録される。また、その異常の状態が正常状態に復旧すると、状態情報として保持していた異常の情報が消去される。
【００３８】
制御部１２は、ＣＰＵ、ＲＯＭ、ＲＡＭ等を備えるマイクロコンピュータ及びその周辺回路で構成される。また、この制御部１２は、マイクロコンピュータ上で実行されるコンピュータプログラムによって実現される機能モジュールとして、記録処理部１３、画像配信制御部１４、通信制御部１５などを備えている。
【００３９】
記録処理部１３は、各監視カメラ２から入力される画像データを、その監視カメラ２のカメラ番号及び時刻情報（時計部１６にて計時される）とともに、順次、画像記録部９に記録する処理を行う。なお、画像データを記録する処理は、予め設定されたスケジュール期間内のみ行われてよく、また、監視カメラ２が移動物体を検出した前後だけ行われてもよい。
【００４０】
画像配信制御部１４は、画像監視装置４からの画像要求信号に基づいて、画像データを通信部７を介して画像監視装置４に送信する制御を行う。例えば、画像配信制御部１４は、画像監視装置４からの画像要求信号がカメラ番号のみを指定する現在の画像データを要求するものであれば、該当する監視カメラ２からの画像データを順次画像監視装置４に送信する制御を行う。また、画像配信制御部１４は、画像監視装置４からの画像要求信号がカメラ番号及び時刻情報を指定する過去の画像データ（画像記録部９に記録された画像データ）を要求するものであれば、該当する過去の画像データを画像記録部９から読み出して画像監視装置４に送信する。
【００４１】
通信制御部１５は、画像監視装置４との間の通信を制御する機能を備えている。通信制御部１５は、画像監視装置４から画像要求信号を受信すると、画像監視装置４との間の通信の確立処理を行い、受信した画像要求信号を画像配信制御部１４へと出力する。そうすると、画像配信制御部１４より該当する画像データが出力され、この画像データが画像監視装置４に送信される。また、通信制御部１５は、画像監視装置４から画像要求信号を受信すると、記憶部１１に記憶されている識別情報と状態情報を読み出して、画像配信制御部１４が出力する画像データとともに識別情報と状態情報を画像監視装置４に送信する制御を行う。つまり、通信制御部１５が、画像監視装置４から画像要求信号を受信すると、画像データと識別情報と状態情報が、画像監視装置４に送信されることになる。
【００４２】
また、通信制御部１５は、画像監視装置４から状態要求信号を受信すると、画像監視装置４との間の通信の確立処理を行い、記憶部１１から識別情報と状態情報を読み出して、画像監視装置４に識別情報と状態情報を送信する制御を行う。また、この通信制御部１５は、画像監視装置４から通信終了要求を受信すると、通信終了処理を行って画像監視装置４との通信を終了する制御を行う。
【００４３】
（画像監視装置）
つぎに、画像監視装置４の構成について、図面を参照して説明する。図３は、画像監視装置４の構成を示すブロック図である。図３に示すように、画像監視装置４は、画像記録装置３と通信を行うための通信部１７と、画像データや状態情報を表示するための表示部１８と、監視員が各種の入力操作などを行うための操作部１９と、画像データを記録するための画像記録部２０と、画像記録装置３の状態情報などを記憶する記憶部２１と、画像監視装置４の種々の制御を行う制御部２２とを備えている。制御部２２は、通信制御部２３と、表示制御部２４と、記録処理部２５と、問合せ対象抽出部２６と、問合せ制御部２７とを含んでいる。
【００４４】
通信部１７は、インターネット網に接続するためのインターフェース（通信Ｉ／Ｆ）である。画像監視装置４は、この通信部１７を介して各監視区域に設置された画像記録装置３と通信可能に接続される。この場合、画像監視装置４は、この通信部１７を介して、１以上の画像記録装置３と同時に通信可能に接続される。
【００４５】
表示部１８は、画像記録装置３から受信する画像データや状態情報をモニタリングするための装置であり、ディスプレイ（ＬＣＤ等）やスピーカなどで構成される。図４は、この表示部１８に表示される画面（表示画面）の一例を示す図である。図４に示すように、この表示画面の例では、複数の監視区域（例えば、監視区域１〜３）の監視カメラ２（例えば、カメラ１〜３）の一覧表示フレーム３０と、監視カメラ２の画像（画像１〜１６）を表示する画像表示フレーム３１と、画像記録装置３や監視カメラ２の状態情報を表示する状態表示フレーム３２が設けられている。一覧表示フレーム３０で監視区域や監視カメラ２の指定操作が行われると、指定された監視区域や監視カメラ２の画像データ（受信中の画像データ）が画像表示フレーム３１に表示される。また、状態表示フレーム３２には、画像記録装置３から受信した状態情報（異常を示す状態情報）が表示される。
【００４６】
操作部１９は、キーボードやポインティグデバイスなどで構成される。この操作部１９は、各画像記録装置３に対する画像受信要求や画像受信の停止要求などを入力するときに、監視員によって操作される。例えば、画像記録装置３の指定（監視区域内のすべての監視カメラ２の指定）や監視カメラ２の指定をする操作をすると、指定された画像記録装置３や監視カメラ２に対する現在の画像データの受信要求が入力される。また、画像記録装置３や監視カメラ２の指定とあわせて、撮影時刻の指定をする操作をすると、画像記録装置３に記録された過去の画像データの受信要求が入力される。なお、このような入力操作は、ＧＵＩ（Graphical User Interface）などにより実現できる。
【００４７】
画像記録部２０は、画像監視装置４に着脱自在な記憶媒体（例えばＤＶＤ−ＲやＨＤＤなど）である。この画像記録部２０には、記録処理部２５が書込み制御を行うことにより、画像記録装置３から受信される画像データが時刻情報（画像が撮影された時刻の情報）とともに記録される。
【００４８】
記憶部２１は、ＲＯＭ／ＲＡＭや、ＨＤＤなどで構成される。この記憶部２１には、予め設定される設定情報、各画像記録装置３から受信した状態情報をまとめた状態管理テーブル、画像受信中の画像記録装置３などを示す画像受信情報、その他に各種プログラムなどが記憶される。なお、この記憶部２１は、画像記録部２０と同じ記憶媒体であってもよい。
【００４９】
設定情報は、画像監視装置４から通信接続が可能な各画像記録装置３の識別情報とＩＰアドレス、その画像記録装置３に接続されている監視カメラ２のカメラ番号と各監視カメラ２の設置位置などの情報である。この場合、複数の画像記録装置３の設定情報が監視区域ごとに予め記憶部２１に記憶されている。
【００５０】
状態管理テーブルは、画像記録装置３ごとに受信した状態情報をまとめたテーブルであり、問合せ制御部２７による書込み制御によって作成される。図５は、状態管理テーブルの一例を示す図である。図５の例では、１番目の画像記録装置３（記録装置１という）でファン異常が発生しており、その画像記録装置３の１番目の監視カメラ（カメラ１という）で撮影妨害が起きている。また、記録装置２で容量低下の異常が生じている。
【００５１】
画像受信情報は、画像データを受信中の画像記録装置３を示す情報である。画像受信情報は、通信制御部２３の書込み制御により作成される。例えば、ある画像記録装置３に対する画像要求信号に基づいて通信が確立すると、画像受信情報に、その画像記録装置３の情報（画像受信中である旨の情報）が書き込まれる。また、その画像記録装置３に対する画像受信の停止要求を操作部１９から受け付けると、その画像記録装置３の情報が消去される。
【００５２】
図６は、画像受信情報の一例を示す図である。図６の例では、記録装置１と２の情報（画像受信中である旨の情報）が書き込まれている。また、この画像受信情報の例では、どの監視カメラ２の画像が表示部１８の画像表示フレーム３１のどの位置に表示されているかを示す情報（表示位置の情報）が書き込まれている。この場合、記録装置１のカメラ１〜３の画像が、画像表示フレーム３１の１〜３番目の位置に表示され、記録装置２のカメラ３の画像が、画像表示フレーム３１の４番目の位置に表示される。なお、この場合、記録装置２のカメラ１と２の画像は表示されない。
【００５３】
制御部２２は、ＣＰＵ、ＲＯＭ、ＲＡＭ等を備えるマイクロコンピュータ及びその周辺回路で構成される。また、この制御部２２は、マイクロコンピュータ上で実行されるコンピュータプログラムによって実現される機能モジュールとして、通信制御部２３と、表示制御部２４と、記録処理部２５と、問合せ対象抽出部２６と、問合せ制御部２７などを備えている。
【００５４】
通信制御部２３は、画像記録装置３との間の通信を制御する機能を備えている。通信制御部２３は、画像データと状態情報をあわせて受信する通信制御を行う第１セッション部２８と、状態要求信号に対する応答として状態情報を受信する通信制御を行う第２セッション部２９を備えている。この場合、第１セッション部２８による画像記録装置３との通信（画像受信中の画像記録装置３との通信）と、第２セッション部２９による画像記録装置３との通信（画像受信中でない画像記録装置３との通信）とは、同時に確立可能に構成される。もちろん、第１セッション部２８が複数の画像記録装置３との通信を同時に確立可能であってもよく、また、第２セッション部２９が複数の画像記録装置３との通信を同時に確立可能であってもよい。
【００５５】
第１セッション部２８は、画像記録装置３から画像データを受信するときに、ＨＴＴＰ等のプロトコルを用いて画像記録装置３との間の通信を確立し、画像データの受信が終了するときに、その画像記録装置３との通信を終了する。また、第２セッション部２９は、問合せ制御部２７から状態要求信号の送信要求を受け付けると、画像記録装置３に対してＨＴＴＰ等のプロトコルを用いて画像記録装置３との間の通信を確立し、その画像記録装置３から状態情報を受信すると、その画像記録装置３との通信を終了する。
【００５６】
通信制御部２３は、操作部１９から画像データの受信要求が入力されると、第１セッション部２８の管理下において、該当する画像記録装置３に対して画像要求信号を送信して、その画像記録装置３との間の通信を確立し、これに応答して画像記録装置３から送信される画像データ及び状態情報を受信する。このとき、通信制御部２３は、記憶部２１の画像受信情報に画像受信中の画像記録装置３の情報を書き込む。また、通信制御部２３は、操作部１９から画像受信の停止要求が入力されると、該当する画像記録装置３に対して通信終了要求信号を送信して、その画像記録装置３との通信を終了する。そして、画像記録装置３との通信が終了すると、通信制御部２３は、記憶部２１の画像受信情報から通信が終了した画像記録装置３の情報を消去する。
【００５７】
また、通信制御部２３は、画像監視装置４が起動すると、記憶部２１の画像受信情報を参照し、以前に（例えば前回）画像監視装置４が終了したときに画像受信中であった画像記録装置３の情報を読み出す。そして、第１セッション部２８の管理下において、該当する画像記録装置３に対して画像要求信号を送信し、これに対する応答として画像記録装置３から送信される画像データ及び状態情報を受信する。
【００５８】
さらに、通信制御部２３は、問合せ制御部２７から状態要求信号の送信要求を受け付けると、第２セッション部２９の管理下において、該当する画像記録装置３に対して、状態要求信号を送信し、これに対する応答として画像記録装置３から送信される状態情報を受信する。
【００５９】
表示制御部２４は、画像データや状態情報を表示部１８に表示出力する制御を行う。例えば、表示制御部２４は、画像記録装置３から画像データを受信すると、受信した画像データに順次伸張処理を施して表示部１８に表示出力する。この場合、表示画面を複数に分割することにより、複数の画像を同時に表示してもよい（図４参照）。また、表示制御部２４は、操作部１９から画像記録部２０に記録された画像の検索要求や表示要求の入力を受け付けると、画像記録部２０から該当する画像データを抽出し、伸張処理を施して表示部１８に表示出力する。また、表示制御部２４は、状態管理テーブルに記録される各画像記録装置３の状態情報が異常を示していれば、これを表示部１８に表示出力する。
【００６０】
記録処理部２５は、操作部１９から画像の記録要求が入力されると、画像記録装置３から受信する画像データを、その画像記録装置３の識別情報及び時刻情報に対応させて、画像記録部２０に記録する処理を行う。なお、画像記録装置３から受信する画像データを記録する場合には、表示制御部２４がその画像データを表示部１８に表示出力しないよう構成してもよい。
【００６１】
問合せ対象抽出部２６は、記憶部２１に記憶された画像受信情報及び設定情報を参照して、画像受信中でない画像記録装置３を判別して、この判別された画像記録装置３（画像受信中でない画像記録装置３）の情報をまとめた問合せ対象リストを生成する。図７は、問合せ対象リストの一例を示す説明図である。図７の例では、通信可能な画像記録装置３（記録装置１、２、３、・・・）の中から、画像受信中でない画像記録装置３（記録装置３、４、６、８、９・・・）が抽出された問合せ対象リストが作成される。本実施形態では、問合せ対象抽出部２６は、画像監視装置４が起動したとき、及び、起動後から所定時間おき（例えば４時間おき）に、各時点での画像受信情報及び設定情報を参照して、問合せ対象リストを生成する。このように問合せ対象リストを生成するタイミング（起動時、起動後から所定時間経過後）を、状態問合せ時間ともいう。
【００６２】
問合せ制御部２７は、問合せ対象リストが生成されると、リスト内の画像記録装置３に対して順に状態要求信号を送信する。この問合せ制御部２７は、リスト内の画像記録装置３が複数である場合には、所定の問合せ順序にて各画像記録装置３に状態要求信号を送信する。図７の例では、所定の問合せ順序としてリスト内の画像記録装置３に対してランダムな順序で問合せる場合が例示されているが、本発明の範囲はこれに限定されるものでなく、リスト内の画像記録装置３への問い合わせ順は、毎回固定されるものでなければ、どのような順番であってもよい。例えば、画像記録装置３の番号が大きい順に問合せをする問合せ順序と、画像記録装置３の番号が小さい順に問合せをする問合せ順序とを、問合せを行う毎に交互に用いてもよく、前回の最後に状態要求信号を送信して状態情報を受信した画像記録装置を識別可能に記憶しておき、次回に状態要求信号を送信する場合に、その続きから行うようにしてもよい。
【００６３】
問合せ制御部２７は、問合せ対象リスト内のある画像記録装置３に対して状態要求信号を送信し、その状態要求信号の応答として画像記録装置３から状態情報を受信すると、受信した状態情報を記憶部２１の状態管理テーブルに記憶する書込み制御を行う。また、問合せ制御部２７は、画像記録装置３への画像要求信号の応答として、画像記録装置３から画像データとともに状態情報を受信すると、受信した状態情報を記憶部２１の状態管理テーブルに記憶する書込み制御を行う。このとき、状態情報が異常の状態を示すものであれば、その状態情報（異常の状態）が表示制御部２４により表示部１８に出力される。そして、問合せ制御部２７は、問合せ対象リストの次の画像記録装置３に状態要求信号を送信する。このようにして、抽出されたすべての画像記録装置３に対する問合せが終了するまで、上記と同様の処理が繰り返される。
【００６４】
以上のように構成された画像監視装置４について、図８および図９のフロー図を用いてその動作を説明する。ここでは、本発明の特徴的な動作の一例として、画像監視装置４の起動中に状態情報を取得する動作について説明する。
【００６５】
ここでは、まず、図８を参照して、画像監視装置４の起動から終了までの全体の動作の流れについて説明する。ここで、起動と終了とは、画像監視装置４のハードウェアの起動とシャットダウンに限らず、画像監視装置卯４が汎用のパソコンで構成される場合には、専用プログラムの起動と終了であってよい。図８に示すように、画像監視装置４が起動すると、まず、記憶部２１の画像受信情報を参照して、前回の終了時に画像受信中の画像記録装置３があったか否かの判断が行われる（Ｓ１）。前回の終了時に画像受信中の画像記録装置３があったと判断された場合には、該当する画像記録装置３（前回の終了時に画像受信中の画像記録装置３）から画像データと状態情報を受信する処理が開始される（Ｓ２）。受信する画像データは、順次伸張されて表示部１８に表示される。
【００６６】
つぎに、監視センタの監視員が操作部１９を操作して画像受信要求が入力されたか否かの判断が行われる（Ｓ３）。監視センタの監視員が操作部１９を操作して画像記録装置３が指定され画像受信要求が入力されると、該当する画像記録装置３（操作部１９で指定された画像記録装置３）から画像データと状態情報を受信する処理が開始され（Ｓ４）、受信した画像データが順次伸張されて表示部１８に表示される。また、その画像記録装置３についての画像受信情報が記憶部２１に記録される（Ｓ５）。
【００６７】
つづいて、監視員が操作部１９を操作して画像受信の停止要求が入力されたか否かの判断が行われる（Ｓ６）。監視員が操作部１９を操作して画像受信の停止要求が入力されると、該当する画像記録装置３（操作部１９で指定解除された画像記録装置３）から画像データと状態情報を受信する処理が終了され（Ｓ７）、その画像記録装置３についての画像受信情報が記憶部２１から消去される（Ｓ８）。
【００６８】
つぎに、現在の時間が、所定の状態問合せ時間であるか否かの判断が行われる（Ｓ９）。現在の時間が、画像監視装置４の起動時、または、起動後から所定時間（例えば４時間）経過した時点であると、図９を用いて後述するようにその時点で画像受信中でない画像記録装置３の抽出が行われ、抽出された画像記録装置３から状態情報を受信する処理が行われる（Ｓ１０）。
【００６９】
そして、監視センタの監視員により操作部１９で終了操作が行われたか否かの判断が行われる（Ｓ１１）。終了操作が行われた場合には、画像監視装置４が終了（例えばシャットダウン）の動作を行う。
【００７０】
つぎに、図９を参照して、画像受信中でない画像記録装置３から状態情報を受信する動作について詳しく説明する。
【００７１】
図９に示すように、画像受信中でない画像記録装置３から状態情報を受信するときには、まず、問合せ対象抽出部２６が、記憶部２１の画像受信情報に基づいて、設定情報に予め記憶した各画像記録装置３と画像受信中の画像記録装置３との比較から、画像受信中でない画像記録装置３の抽出を行い（Ｓ２０）、問合せ対象リストを作成する。例えば、図７の例では、記録装置１、２、３・・・の中から、画像受信中でない記録装置３、４、６、８、９・・・が抽出される。
【００７２】
つぎに、問合せ制御部２７が、問合せ対象リスト内の画像記録装置３へ状態要求信号を送信する順序（問合せ順序）を決定し（Ｓ２１）、問合せ対象の画像記録装置３に状態要求信号が送信される（Ｓ２２）。例えば、図７の例では、記録装置９、３、８、６、４・・・という問合せ順序で、状態要求信号が送信される。
【００７３】
そして、状態要求信号が送信された画像記録装置３から状態情報を受信すると（Ｓ２３）、その状態情報を状態管理テーブルに記憶する（Ｓ２４）。抽出されたすべての画像記録装置３に対して状態情報の問合せが終了すると（Ｓ２５）、この処理は終了する。
【００７４】
このような本実施の形態の画像監視装置４によれば、画像データを受信中の画像記録装置３からだけでなく、画像データを受信中でない画像記録装置３からも状態情報を効率よく取得することができる。したがって、画像監視装置４が起動している間に画像記録装置３の状態情報を効率的に取得することができる。
【００７５】
すなわち、本実施の形態では、複数の画像記録装置３のうち、画像データを受信中である画像記録装置３からは、画像データを受信するときにその画像記録装置３の状態情報をあわせて受信することができる。一方、それ以外の画像記録装置３については、画像データを受信中でない画像記録装置３を抽出して、抽出された画像記録装置３に対して状態要求信号が送信される。したがって、画像データを受信中の画像記録装置３からだけでなく、画像データを受信中でない画像記録装置３からも状態情報を効率よく取得することができる。このようにして、画像監視装置４が起動している間に画像記録装置３の状態情報を効率的に取得することができる。したがって、本実施の形態の画像監視装置４は、画像監視装置４を常時起動させないシステムにも適用することが可能となる。
【００７６】
また、本実施の形態では、画像監視装置４が起動したときに、以前の終了時（例えば前回終了時）に画像データを受信中であった画像記録装置３から画像データを受信するとともに、その画像記録装置３の状態情報をあわせて受信することができる。そして、画像監視装置４が起動したときに画像データを受信しない画像記録装置３については、画像記録装置３の抽出が行われて状態要求信号が送信され、その状態情報を取得することができる。このようにして、画像監視装置４の起動時に、画像記録装置３の状態情報を効率的に取得することができる。したがって、本実施の形態の画像監視装置４は、画像監視装置４を常時起動させないシステムへの適用に特に適している。
【００７７】
また、本実施の形態では、複数の画像記録装置３が抽出される毎に、状態要求信号を送信する順序が変更されるので、多数の画像記録装置３から均等に状態情報を取得することができる。具体的には、状態要求信号を送信する順序がランダムに決定されるので、多数の画像記録装置３から均等に状態情報を取得することができる。
【００７８】
この場合、接続可能な複数の画像記録装置３が予め登録されており、画像受信中でない画像記録装置３を抽出してリスト化し、これらを順にポーリングして各画像記録装置３の状態情報を取得する。特に、状態情報の取得が行われる都度、リスト化された画像記録装置３への問い合わせ順をランダムに異ならせる。これにより、常時起動していない画像監視装置４であっても、起動している間に、効率的に各画像記録装置３の状態を収集して管理することができる。
【００７９】
以上、本発明の実施の形態を例示により説明したが、本発明の範囲はこれらに限定されるものではなく、請求項に記載された範囲内において目的に応じて変更・変形することが可能である。
【産業上の利用可能性】
【００８０】
以上のように、本発明にかかる画像監視装置は、画像監視装置が起動している間に画像記録装置の状態情報を効率的に取得することができるという効果を有し、監視区域の監視カメラの画像を遠隔の監視センタで確認する画像監視システム等に用いられ、有用である。
【図面の簡単な説明】
【００８１】
【図１】本実施の形態における画像監視システムの構成を示す図である。
【図２】画像記録装置の構成を示すブロック図である。
【図３】画像監視装置の構成を示すブロック図である。
【図４】画像監視装置の表示画面の一例を示す図である。
【図５】状態管理テーブルの一例を示す図である。
【図６】画像受信情報の一例を示す図である。
【図７】問合せ対象リストの一例を示す図である。
【図８】画像監視装置の動作の流れを示すフロー図である。
【図９】状態情報受信処理の流れを示すフロー図である。
【符号の説明】
【００８２】
１  画像監視システム
２  監視カメラ
３  画像記録装置
４  画像監視装置
１７  通信部
２３  通信制御部
２６  問合せ対象抽出部
２７  問合せ制御部
２８  第１セッション部
２９  第２セッション部
【図１】
2010056814.tif 000003
【図２】
2010056814.tif 000004
【図３】
2010056814.tif 000005
【図４】
2010056814.tif 000006
【図５】
2010056814.tif 000007
【図６】
2010056814.tif 000008
【図７】
2010056814.tif 000009
【図８】
2010056814.tif 000010
【図９】
2010056814.tif 000011